【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
モバイルデバイスにより、
少なくとも１つの他の電子デバイスから支援データを取得することと、前記支援データは前記モバイルデバイスによってナビゲート可能な環境の部分的領域のための候補位置決定モードを示すもので、前記候補位置決定モードは、
地上ベース送信デバイスによって送信された第１のワイヤレス信号に基づく第１のワイヤレス信号ベース測位モードと、
衛星ベース送信デバイス送信された第２のワイヤレス信号に基づく第２のワイヤレス信号ベース測位モードと、
前記第１のワイヤレス信号および前記第２のワイヤレス信号の組合せに基づく第３のワイヤレス信号ベース測位モードと
を少なくとも備える複数のワイヤレス信号ベース測位モードから選択されるものである、
前記モバイルデバイスが前記部分的領域のしきい近接性の範囲内に位置すると推定されるとの決定に応答して、前記候補位置決定モードに少なくとも部分的に基づいて、ワイヤレス信号ベース測位機能に影響を与えることと、
前記候補位置決定モードに少なくとも部分的に基づいて、前記ワイヤレス信号ベース測位機能に影響を与えた後、前記少なくとも１つの他の電子デバイスに報告を送信することと、前記報告は、影響を受けたことで前記ワイヤレス信号ベース測位機能が、前記モバイルデバイスの現在の推定位置決定、および／または前記モバイルデバイスの現在の推定コースのうちの少なくとも１つを上手く決定するかどうかについて示す、
を備える方法。
【請求項２】
前記支援データは、前記モバイルデバイスによってナビゲート可能な前記環境の少なくとも１つの他の部分的領域のための少なくとも１つの他の候補位置決定モードをさらに示す、請求項１に記載の方法。
【請求項３】
前記支援データは、
前記環境の少なくとも一部分に対応する電子マップ、および／または
前記電子マップの少なくとも一部分に対応する注釈ファイル
のうちの少なくとも１つを備える、請求項１に記載の方法。
【請求項４】
前記候補位置決定モードは、前記環境に対応する電子マップ内で識別可能な１つまたは複数の測位ノードに対応する、請求項１に記載の方法。
【請求項５】
前記支援データは、前記複数のワイヤレス信号ベース測位モードのうちの１つに割り当てられた識別子を介して前記候補位置決定モードを示す、請求項１に記載の方法。
【請求項６】
前記モバイルデバイスにより、
前記候補位置決定モードを備える前記支援データを求める要求を送信すること
をさらに備える、請求項１に記載の方法。
【請求項７】
前記要求は、前記モバイルデバイスの初期推定位置決定、および／または前記モバイルデバイスの初期推定コースのうちの少なくとも１つを示す、請求項６に記載の方法。
【請求項８】
前記要求は、前記モバイルデバイスによって収集された少なくとも１つのワイヤレス信号観測値を示す、請求項６に記載の方法。
【請求項９】
前記要求は、前記モバイルデバイスに対応するモバイルデバイス能力関連識別子を示す、請求項６に記載の方法。
【請求項１０】
前記候補位置決定モードは前記部分的領域を示す、請求項１に記載の方法。
【請求項１１】
前記候補位置決定モードは、前記部分的領域の少なくとも一部分に対応するジオフェンス境界を示す、請求項１０に記載の方法。
【請求項１２】
前記候補位置決定モードは、前記環境の少なくとも一部分に対応する電子マップに関する前記部分的領域を示す、請求項１０に記載の方法。
【請求項１３】
前記候補位置決定モードは、構造特徴関連識別子、ノード関連識別子、環境関連識別子、および／またはロケーションコンテキスト識別子(ＬＣＩ）のうちの少なくとも１つに関する前記部分的領域を示す、請求項１０に記載の方法。
【請求項１４】
モバイルデバイスにおいて使用するための装置であって、
前記モバイルデバイスによってナビゲート可能な環境の部分的領域のための候補位置決定モードを示す支援データにアクセスするための手段と、前記候補位置決定モードは、地上ベース送信デバイスによって送信された第１のワイヤレス信号に基づく第１のワイヤレス信号ベース測位モードと、衛星ベース送信デバイス送信された第２のワイヤレス信号に基づく第２のワイヤレス信号ベース測位モードと、前記第１のワイヤレス信号および前記第２のワイヤレス信号の組合せに基づく第３のワイヤレス信号ベース測位モードとを少なくとも備える複数のワイヤレス信号ベース測位モードから選択されるものである、
前記モバイルデバイスが前記部分的領域のしきい近接性の範囲内に位置すると推定されるとの決定に応答して、前記候補位置決定モードに少なくとも部分的に基づいて、ワイヤレス信号ベース測位機能に影響を与えるための手段と、
前記候補位置決定モードに少なくとも部分的に基づいて、前記ワイヤレス信号ベース測位機能が影響を受けた後、少なくとも１つの他の電子デバイスに報告を送信するための手段と、前記報告は、影響を受けたことで前記ワイヤレス信号ベース測位機能が、前記モバイルデバイスの現在の推定位置決定、および／または前記モバイルデバイスの現在の推定コースのうちの少なくとも１つを上手く決定するかどうかについて示す、
を備える装置。
【請求項１５】
請求項１〜１３の一項に記載の方法を行うためにモバイルデバイスの処理ユニットによって実行可能なコンピュータ実施可能命令を有する非一時的コンピュータ可読媒体
を備える物品。
【手続補正２】
【補正対象書類名】明細書
【補正対象項目名】００９１
【補正方法】変更
【補正の内容】
【００９１】
[0094]  従って、特許請求する主題は、開示した特定の例に限定されず、そのような特許請求する主題は、添付の特許請求の範囲の中に入る全ての態様、およびその均等物も含み得るものとする。
以下に、本願出願の当初の特許請求の範囲に記載された発明を付記する。
［Ｃ１］
モバイルデバイスにより、
少なくとも１つの他の電子デバイスから支援データを取得することと、前記支援データは前記モバイルデバイスによってナビゲート可能な環境の部分的領域のための候補位置決定モードを示すもので、前記候補位置決定モードは、
地上ベース送信デバイスによって送信された第１のワイヤレス信号に基づく第１のワイヤレス信号ベース測位モードと、
衛星ベース送信デバイス送信された第２のワイヤレス信号に基づく第２のワイヤレス信号ベース測位モードと、
前記第１のワイヤレス信号および前記第２のワイヤレス信号の組合せに基づく第３のワイヤレス信号ベース測位モードと
を少なくとも備える複数のワイヤレス信号ベース測位モードから選択されるものである、
前記モバイルデバイスが前記部分的領域のしきい近接性の範囲内に位置すると推定されるとの決定に応答して、前記候補位置決定モードに少なくとも部分的に基づいて、ワイヤレス信号ベース測位機能に影響を与えることと
を備える方法。
［Ｃ２］
前記支援データは、前記モバイルデバイスによってナビゲート可能な前記環境の少なくとも１つの他の部分的領域のための少なくとも１つの他の候補位置決定モードをさらに示す、Ｃ１に記載の方法。
［Ｃ３］
前記支援データは、
前記環境の少なくとも一部分に対応する電子マップ、および／または
前記電子マップの少なくとも一部分に対応する注釈ファイル
のうちの少なくとも１つを備える、Ｃ１に記載の方法。
［Ｃ４］
前記候補位置決定モードは、前記環境に対応する電子マップ内で識別可能な１つまたは複数の測位ノードに対応する、Ｃ１に記載の方法。
［Ｃ５］
前記支援データは、前記複数のワイヤレス信号ベース測位モードのうちの１つに割り当てられた識別子を介して前記候補位置決定モードを示す、Ｃ１に記載の方法。
［Ｃ６］
前記モバイルデバイスにより、
前記候補位置決定モードを備える前記支援データを求める要求を送信することをさらに備える、Ｃ１に記載の方法。
［Ｃ７］
前記要求は、前記モバイルデバイスの初期推定位置決定、および／または前記モバイルデバイスの初期推定コースのうちの少なくとも１つを示す、Ｃ６に記載の方法。
［Ｃ８］
前記要求は、前記モバイルデバイスによって収集された少なくとも１つのワイヤレス信号観測値を示す、Ｃ６に記載の方法。
［Ｃ９］
前記要求は、前記モバイルデバイスに対応するモバイルデバイス能力関連識別子を示す、Ｃ６に記載の方法。
［Ｃ１０］
前記候補位置決定モードは前記部分的領域を示す、Ｃ１に記載の方法。
［Ｃ１１］
前記候補位置決定モードは、前記部分的領域の少なくとも一部分に対応するジオフェンス境界を示す、Ｃ１０に記載の方法。
［Ｃ１２］
前記候補位置決定モードは、前記環境の少なくとも一部分に対応する電子マップに関する前記部分的領域を示す、Ｃ１０に記載の方法。
［Ｃ１３］
前記候補位置決定モードは、構造特徴関連識別子、ノード関連識別子、環境関連識別子、および／またはロケーションコンテキスト識別子(ＬＣＩ）のうちの少なくとも１つに関する前記部分的領域を示す、Ｃ１０に記載の方法。
［Ｃ１４］
前記候補位置決定モードは、前記地上ベース送信デバイスに対応する第１のサービス関連識別子、前記衛星ベース送信デバイスに対応する第２のサービス関連識別子、および／または前記モバイルデバイスに対応するモバイルデバイス能力関連識別子のうちの少なくとも１つに関する前記部分的領域を示す、Ｃ１０に記載の方法。
［Ｃ１５］
前記候補位置決定モードは、前記候補位置決定モード、前記部分的領域、前記地上ベース送信デバイス、前記衛星ベース送信デバイス、および／または前記モバイルデバイスのうちの少なくとも１つに対応する条件付き属性を示す、Ｃ１に記載の方法。
［Ｃ１６］
前記部分的領域は、前記環境に関する複数のモバイルデバイスに対応する過去のナビゲーション観測値、および／またはワイヤレス信号観測値のうちの少なくとも１つに少なくとも部分的に基づいて識別されている、Ｃ１に記載の方法。
［Ｃ１７］
前記モバイルデバイスにより、
過去のナビゲーション観測値、および／またはワイヤレス信号観測値のうちの少なくとも１つを収集することと、
前記過去のナビゲーション観測値、および／または前記ワイヤレス信号観測値のうちの少なくとも１つを前記少なくとも１つの他の電子デバイスに送信することとをさらに備える、Ｃ１に記載の方法。
［Ｃ１８］
前記支援データは、前記モバイルデバイスの初期推定位置決定、および／または前記モバイルデバイスの初期推定コースのうちの少なくとも１つを示す、Ｃ１に記載の方法。
［Ｃ１９］
前記支援データは、前記モバイルデバイスが前記部分的領域の前記しきい近接性の範囲内に位置すると推定されるとの前記決定を示す、Ｃ１に記載の方法。
［Ｃ２０］
前記モバイルデバイスにより、
前記候補位置決定モードに少なくとも部分的に基づいて、前記ワイヤレス信号ベース測位機能に影響を与えた後、前記少なくとも１つの他の電子デバイスに報告を送信することをさらに備え、前記報告は、影響を受けたことで前記ワイヤレス信号ベース測位機能が、前記モバイルデバイスの現在の推定位置決定、および／または前記モバイルデバイスの現在の推定コースのうちの少なくとも１つを上手く決定するかどうかについて示す、Ｃ１に記載の方法。
［Ｃ２１］
前記環境の少なくとも一部分は混合環境を備え、前記混合環境は前記部分的領域を備える、Ｃ１に記載の方法。
［Ｃ２２］
前記地上ベース送信デバイスはワイヤレス通信ネットワークのアクセスポイントデバイスを備え、および／または前記衛星ベース送信デバイスは宇宙測位システム(ＳＰＳ）の一部である、Ｃ１に記載の方法。
［Ｃ２３］
通信トランシーバと、
処理ユニットと
を備えるモバイルデバイスであって、前記処理ユニットは、
前記通信トランシーバを介して、前記モバイルデバイスによってナビゲート可能な環境の部分的領域のための候補位置決定モードを示す支援データを取得することと、前記候補位置決定モードは、地上ベース送信デバイスによって送信された第１のワイヤレス信号に基づく第１のワイヤレス信号ベース測位モードと、衛星ベース送信デバイス送信された第２のワイヤレス信号に基づく第２のワイヤレス信号ベース測位モードと、前記第１のワイヤレス信号および前記第２のワイヤレス信号の組合せに基づく第３のワイヤレス信号ベース測位モードとを少なくとも備える複数のワイヤレス信号ベース測位モードから選択されるものである、
前記モバイルデバイスが前記部分的領域のしきい近接性の範囲内に位置すると推定されるとの決定に応答して、前記候補位置決定モードに少なくとも部分的に基づいて、測位機能に影響を与えることと
を行う、モバイルデバイス。
［Ｃ２４］
前記支援データは、前記モバイルデバイスによってナビゲート可能な前記環境の少なくとも１つの他の部分的領域のための少なくとも１つの他の候補位置決定モードをさらに示す、Ｃ２３に記載のモバイルデバイス。
［Ｃ２５］
前記支援データは、
前記環境の少なくとも一部分に対応する電子マップ、および／または
前記電子マップの少なくとも一部分に対応する注釈ファイル
のうちの少なくとも１つを備える、Ｃ２３に記載のモバイルデバイス。
［Ｃ２６］
前記候補位置決定モードは、前記環境に対応する電子マップ内で識別可能な１つまたは複数の測位ノードに対応する、Ｃ２３に記載のモバイルデバイス。
［Ｃ２７］
前記支援データは、前記複数のワイヤレス信号ベース測位モードのうちの１つに割り当てられた識別子を介して前記候補位置決定モードを示す、Ｃ２３に記載のモバイルデバイス。
［Ｃ２８］
前記処理ユニットはさらに、
前記通信トランシーバを介した少なくとも１つの他の電子デバイスへの、前記候補位置決定モードを備える前記支援データを求める要求の送信を開始する、Ｃ２３に記載のモバイルデバイス。
［Ｃ２９］
前記要求は、前記モバイルデバイスの初期推定位置決定、および／または前記モバイルデバイスの初期推定コースのうちの少なくとも１つを示す、Ｃ２８に記載のモバイルデバイス。
［Ｃ３０］
前記要求は、前記モバイルデバイスによって収集された少なくとも１つのワイヤレス信号観測値を示す、Ｃ２８に記載のモバイルデバイス。
［Ｃ３１］
前記要求は、前記モバイルデバイスに対応するモバイルデバイス能力関連識別子を示す、Ｃ２８に記載のモバイルデバイス。
［Ｃ３２］
前記候補位置決定モードは前記部分的領域を示す、Ｃ２３に記載のモバイルデバイス。
［Ｃ３３］
前記候補位置決定モードは、前記部分的領域の少なくとも一部分に対応するジオフェンス境界を示す、Ｃ３２に記載のモバイルデバイス。
［Ｃ３４］
前記候補位置決定モードは、前記環境の少なくとも一部分に対応する電子マップに関する前記部分的領域を示す、Ｃ３２に記載のモバイルデバイス。
［Ｃ３５］
前記候補位置決定モードは、構造特徴関連識別子、ノード関連識別子、環境関連識別子、および／またはロケーションコンテキスト識別子(ＬＣＩ）のうちの少なくとも１つに関する前記部分的領域を示す、Ｃ３２に記載のモバイルデバイス。
［Ｃ３６］
前記候補位置決定モードは、前記地上ベース送信デバイスに対応する第１のサービス関連識別子、前記衛星ベース送信デバイスに対応する第２のサービス関連識別子、および／または前記モバイルデバイスに対応するモバイルデバイス能力関連識別子のうちの少なくとも１つに関する前記部分的領域を示す、Ｃ３２に記載のモバイルデバイス。
［Ｃ３７］
前記候補位置決定モードは、前記候補位置決定モード、前記部分的領域、前記地上ベース送信デバイス、前記衛星ベース送信デバイス、および／または前記モバイルデバイスのうちの少なくとも１つに対応する条件付き属性を示す、Ｃ２３に記載のモバイルデバイス。
［Ｃ３８］
前記部分的領域は、前記環境に関する複数のモバイルデバイスに対応する過去のナビゲーション観測値、および／またはワイヤレス信号観測値のうちの少なくとも１つに少なくとも部分的に基づいて識別されている、Ｃ２３に記載のモバイルデバイス。
［Ｃ３９］
前記処理ユニットはさらに、
過去のナビゲーション観測値、および／またはワイヤレス信号観測値のうちの少なくとも１つを収集することと、
前記通信トランシーバを介した少なくとも１つの他の電子デバイスへの、前記過去のナビゲーション観測値、および／または前記ワイヤレス信号観測値のうちの少なくとも１つの送信を開始することと
を行う、Ｃ２３に記載のモバイルデバイス。
［Ｃ４０］
前記支援データは、前記モバイルデバイスの初期推定位置決定、および／または前記モバイルデバイスの初期推定コースのうちの少なくとも１つを示す、Ｃ２３に記載のモバイルデバイス。
［Ｃ４１］
前記支援データは、前記モバイルデバイスが前記部分的領域の前記しきい近接性の範囲内に位置すると推定されるとの前記決定を示す、Ｃ２３に記載のモバイルデバイス。
［Ｃ４２］
前記処理ユニットはさらに、
前記候補位置決定モードに少なくとも部分的に基づいて、前記ワイヤレス信号ベース測位機能が影響を受けた後、前記通信トランシーバを介した少なくとも１つの他の電子デバイスへの報告の送信を開始し、前記報告は、影響を受けたことで前記ワイヤレス信号ベース測位機能が、前記モバイルデバイスの現在の推定位置決定、および／または前記モバイルデバイスの現在の推定コースのうちの少なくとも１つを上手く決定するかどうかについて示す、Ｃ２３に記載のモバイルデバイス。
［Ｃ４３］
前記環境の少なくとも一部分は混合環境を備え、前記混合環境は前記部分的領域を備える、Ｃ２３に記載のモバイルデバイス。
［Ｃ４４］
前記地上ベース送信デバイスはワイヤレス通信ネットワークのアクセスポイントデバイスを備え、および／または前記衛星ベース送信デバイスは宇宙測位システム(ＳＰＳ）の一部である、Ｃ２３に記載のモバイルデバイス。
［Ｃ４５］
モバイルデバイスにおいて使用するための装置であって、
前記モバイルデバイスによってナビゲート可能な環境の部分的領域のための候補位置決定モードを示す支援データにアクセスするための手段と、前記候補位置決定モードは、地上ベース送信デバイスによって送信された第１のワイヤレス信号に基づく第１のワイヤレス信号ベース測位モードと、衛星ベース送信デバイス送信された第２のワイヤレス信号に基づく第２のワイヤレス信号ベース測位モードと、前記第１のワイヤレス信号および前記第２のワイヤレス信号の組合せに基づく第３のワイヤレス信号ベース測位モードとを少なくとも備える複数のワイヤレス信号ベース測位モードから選択されるものである、
前記モバイルデバイスが前記部分的領域のしきい近接性の範囲内に位置すると推定されるとの決定に応答して、前記候補位置決定モードに少なくとも部分的に基づいて、ワイヤレス信号ベース測位機能に影響を与えるための手段と
を備える装置。
［Ｃ４６］
前記支援データは、前記モバイルデバイスによってナビゲート可能な前記環境の少なくとも１つの他の部分的領域のための少なくとも１つの他の候補位置決定モードをさらに示す、Ｃ４５に記載の装置。
［Ｃ４７］
前記支援データは、
前記環境の少なくとも一部分に対応する電子マップ、および／または
前記電子マップの少なくとも一部分に対応する注釈ファイル
のうちの少なくとも１つを備える、Ｃ４５に記載の装置。
［Ｃ４８］
前記候補位置決定モードは、前記環境に対応する電子マップ内で識別可能な１つまたは複数の測位ノードに対応する、Ｃ４５に記載の装置。
［Ｃ４９］
前記支援データは、前記複数のワイヤレス信号ベース測位モードのうちの１つに割り当てられた識別子を介して前記候補位置決定モードを示す、Ｃ４５に記載の装置。
［Ｃ５０］
前記モバイルデバイスにより、
前記候補位置決定モードを備える前記支援データを求める要求を送信するための手段をさらに備える、Ｃ４５に記載の装置。
［Ｃ５１］
前記要求は、前記モバイルデバイスの初期推定位置決定、および／または前記モバイルデバイスの初期推定コースのうちの少なくとも１つを示す、Ｃ５０に記載の装置。
［Ｃ５２］
前記要求は、前記モバイルデバイスによって収集された少なくとも１つのワイヤレス信号観測値を示す、Ｃ５０に記載の装置。
［Ｃ５３］
前記要求は、前記モバイルデバイスに対応するモバイルデバイス能力関連識別子を示す、Ｃ５０に記載の装置。
［Ｃ５４］
前記候補位置決定モードは前記部分的領域を示す、Ｃ４５に記載の装置。
［Ｃ５５］
前記候補位置決定モードは、前記部分的領域の少なくとも一部分に対応するジオフェンス境界を示す、Ｃ５４に記載の装置。
［Ｃ５６］
前記候補位置決定モードは、前記環境の少なくとも一部分に対応する電子マップに関する前記部分的領域を示す、Ｃ５４に記載の装置。
［Ｃ５７］
前記候補位置決定モードは、構造特徴関連識別子、ノード関連識別子、環境関連識別子、および／またはロケーションコンテキスト識別子(ＬＣＩ）のうちの少なくとも１つに関する前記部分的領域を示す、Ｃ５４に記載の装置。
［Ｃ５８］
前記候補位置決定モードは、前記地上ベース送信デバイスに対応する第１のサービス関連識別子、前記衛星ベース送信デバイスに対応する第２のサービス関連識別子、および／または
前記モバイルデバイスに対応するモバイルデバイス能力関連識別子のうちの少なくとも１つに関する前記部分的領域を示す、Ｃ５４に記載の装置。
［Ｃ５９］
前記候補位置決定モードは、前記候補位置決定モード、前記部分的領域、前記地上ベース送信デバイス、前記衛星ベース送信デバイス、および／または前記モバイルデバイスのうちの少なくとも１つに対応する条件付き属性を示す、Ｃ４５に記載の装置。
［Ｃ６０］
前記部分的領域は、前記環境に関する複数のモバイルデバイスに対応する過去のナビゲーション観測値、および／またはワイヤレス信号観測値のうちの少なくとも１つに少なくとも部分的に基づいて識別されている、Ｃ４５に記載の装置。
［Ｃ６１］
過去のナビゲーション観測値、および／またはワイヤレス信号観測値のうちの少なくとも１つを収集するための手段と、
前記過去のナビゲーション観測値、および／または前記ワイヤレス信号観測値のうちの少なくとも１つを少なくとも１つの他の電子デバイスに送信するための手段とをさらに備える、Ｃ４５に記載の装置。
［Ｃ６２］
前記支援データは、前記モバイルデバイスの初期推定位置決定、および／または前記モバイルデバイスの初期推定コースのうちの少なくとも１つを示す、Ｃ４５に記載の装置。
［Ｃ６３］
前記支援データは、前記モバイルデバイスが前記部分的領域の前記しきい近接性の範囲内に位置すると推定されるとの前記決定を示す、Ｃ４５に記載の装置。
［Ｃ６４］
前記候補位置決定モードに少なくとも部分的に基づいて、前記ワイヤレス信号ベース測位機能が影響を受けた後、少なくとも１つの他の電子デバイスに報告を送信するための手段をさらに備え、前記報告は、影響を受けたことで前記ワイヤレス信号ベース測位機能が、前記モバイルデバイスの現在の推定位置決定、および／または前記モバイルデバイスの現在の推定コースのうちの少なくとも１つを上手く決定するかどうかについて示す、Ｃ４５に記載の装置。
［Ｃ６５］
前記環境の少なくとも一部分は混合環境を備え、前記混合環境は前記部分的領域を備える、Ｃ４５に記載の装置。
［Ｃ６６］
前記地上ベース送信デバイスはワイヤレス通信ネットワークのアクセスポイントデバイスを備え、および／または前記衛星ベース送信デバイスは宇宙測位システム(ＳＰＳ）の一部である、Ｃ４５に記載の装置。
［Ｃ６７］
モバイルデバイスの処理ユニットによって、
前記モバイルデバイスによってナビゲート可能な環境の部分的領域のための候補位置決定モードを示す支援データを取得することと、前記候補位置決定モードは、地上ベース送信デバイスによって送信された第１のワイヤレス信号に基づく第１のワイヤレス信号ベース測位モードと、衛星ベース送信デバイス送信された第２のワイヤレス信号に基づく第２のワイヤレス信号ベース測位モードと、前記第１のワイヤレス信号および前記第２のワイヤレス信号の組合せに基づく第３のワイヤレス信号ベース測位モードとを少なくとも備える複数のワイヤレス信号ベース測位モードから選択されるものである、
前記モバイルデバイスが前記部分的領域のしきい近接性の範囲内に位置すると推定されるとの決定に応答して、前記候補位置決定モードに少なくとも部分的に基づいて、ワイヤレス信号ベース測位機能に影響を与えることと
を行うように実行可能なコンピュータ実施可能命令を有する非一時的コンピュータ可読媒体を備える物品。
［Ｃ６８］
前記支援データは、前記モバイルデバイスによってナビゲート可能な前記環境の少なくとも１つの他の部分的領域のための少なくとも１つの他の候補位置決定モードをさらに示す、Ｃ６７に記載の物品。
［Ｃ６９］
前記支援データは、
前記環境の少なくとも一部分に対応する電子マップ、および／または
前記電子マップの少なくとも一部分に対応する注釈ファイル
のうちの少なくとも１つを備える、Ｃ６７に記載の物品。
［Ｃ７０］
前記候補位置決定モードは、前記環境に対応する電子マップ内で識別可能な１つまたは複数の測位ノードに対応する、Ｃ６７に記載の物品。
［Ｃ７１］
前記支援データは、前記複数のワイヤレス信号ベース測位モードのうちの１つに割り当てられた識別子を介して前記候補位置決定モードを示す、Ｃ６７に記載の物品。
［Ｃ７２］
前記候補位置決定モードを備える前記支援データを求める要求の送信を開始するためのコンピュータ実施可能命令をさらに備える、Ｃ６７に記載の物品。
［Ｃ７３］
前記要求は、前記モバイルデバイスの初期推定位置決定、および／または前記モバイルデバイスの初期推定コースのうちの少なくとも１つを示す、Ｃ７２に記載の物品。
［Ｃ７４］
前記要求は、前記モバイルデバイスによって収集された少なくとも１つのワイヤレス信号観測値を示す、Ｃ７２に記載の物品。
［Ｃ７５］
前記要求は、前記モバイルデバイスに対応するモバイルデバイス能力関連識別子を示す、Ｃ７２に記載の物品。
［Ｃ７６］
前記候補位置決定モードは前記部分的領域を示す、Ｃ６７に記載の物品。
［Ｃ７７］
前記候補位置決定モードは、前記部分的領域の少なくとも一部分に対応するジオフェンス境界を示す、Ｃ７６に記載の物品。
［Ｃ７８］
前記候補位置決定モードは、前記環境の少なくとも一部分に対応する電子マップに関する前記部分的領域を示す、Ｃ７６に記載の物品。
［Ｃ７９］
前記候補位置決定モードは、構造特徴関連識別子、ノード関連識別子、環境関連識別子、および／またはロケーションコンテキスト識別子(ＬＣＩ）のうちの少なくとも１つに関する前記部分的領域を示す、Ｃ７６に記載の物品。
［Ｃ８０］
前記候補位置決定モードは、前記地上ベース送信デバイスに対応する第１のサービス関連識別子、前記衛星ベース送信デバイスに対応する第２のサービス関連識別子、および／または前記モバイルデバイスに対応するモバイルデバイス能力関連識別子のうちの少なくとも１つに関する前記部分的領域を示す、Ｃ７６に記載の物品。
［Ｃ８１］
前記候補位置決定モードは、前記候補位置決定モード、前記部分的領域、前記地上ベース送信デバイス、前記衛星ベース送信デバイス、および／または前記モバイルデバイスのうちの少なくとも１つに対応する条件付き属性を示す、Ｃ６７に記載の物品。
［Ｃ８２］
前記部分的領域は、前記環境に関する複数のモバイルデバイスに対応する過去のナビゲーション観測値、および／またはワイヤレス信号観測値のうちの少なくとも１つに少なくとも部分的に基づいて識別されている、Ｃ６７に記載の物品。
［Ｃ８３］
過去のナビゲーション観測値、および／またはワイヤレス信号観測値のうちの少なくとも１つを収集することと、
少なくとも１つの他の電子デバイスへの、前記過去のナビゲーション観測値、および／または前記ワイヤレス信号観測値のうちの少なくとも１つの送信を開始することとを行うためのコンピュータ実施可能命令をさらに備える、Ｃ６７に記載の物品。
［Ｃ８４］
前記支援データは、前記モバイルデバイスの初期推定位置決定、および／または前記モバイルデバイスの初期推定コースのうちの少なくとも１つを示す、Ｃ６７に記載の物品。
［Ｃ８５］
前記支援データは、前記モバイルデバイスが前記部分的領域の前記しきい近接性の範囲内に位置すると推定されるとの前記決定を示す、Ｃ６７に記載の物品。
［Ｃ８６］
前記候補位置決定モードに少なくとも部分的に基づいて、前記ワイヤレス信号ベース測位機能が影響を受けた後、少なくとも１つの他の電子デバイスへの報告の送信を開始するためのコンピュータ実施可能命令をさらに備え、前記報告は、影響を受けたことで前記ワイヤレス信号ベース測位機能が、前記モバイルデバイスの現在の推定位置決定、および／または前記モバイルデバイスの現在の推定コースのうちの少なくとも１つを上手く決定するかどうかについて示す、Ｃ６７に記載の物品。
［Ｃ８７］
前記環境の少なくとも一部分は混合環境を備え、前記混合環境は前記部分的領域を備える、Ｃ６７に記載の物品。
［Ｃ８８］
前記地上ベース送信デバイスはワイヤレス通信ネットワークのアクセスポイントデバイスを備え、および／または前記衛星ベース送信デバイスは宇宙測位システム(ＳＰＳ）の一部である、Ｃ６７に記載の物品。